(57)【要約】【課題】要求に応じた設定の映像ストリームを配信することができる映像配信システムを提供する。【解決手段】監視装置１１０は、監視カメラから映像信号を入力し、クライアントＰＣ１２０、クライアントＰＣ１３０、及び記録装置１４０に、要求に応じた設定の映像メインストリームまたは映像サブストリームを配信する。クライアントＰＣ１２０が４台の監視装置１１０に低い解像度が設定されている映像サブストリームを要求し、映像サブストリームが配信されると、映像表示処理部１２１が映像を４分割された画面エリアに表示する。クライアントＰＣ１３０が１台の監視装置１１０に高い解像度が設定されている映像メインストリームを要求し、映像メインストリームが配信されると、映像表示処理部１３１が映像を画面エリアに表示する。記録装置１４０は、記録媒体１４１に監視装置１１０から配信される解像度の高い映像メインストリームを記録する。【選択図】図１
2012019407.tif 000002
【特許請求の範囲】
【請求項１】
監視装置と映像受信装置が接続されている映像配信システムであって、
映像ストリームの配信用の設定が変更可能な前記監視装置の配信用設定手段と、
前記配信用の設定がされた前記映像ストリームを配信する前記監視装置の配信手段と、
前記映像ストリームを受信する映像受信装置の受信手段と、
を備えることを特徴とする映像配信システム。
【発明の詳細な説明】
【技術分野】
【０００１】
本発明は、監視装置が映像をネットワークを経由してクライアントに配信する映像配信システムに係り、特に監視装置が配信する映像にクライアントの要求に対応した設定、またはクライアントの状況に対応した設定を行って配信することができる映像配信システムに関する。
【背景技術】
【０００２】
従来、複数の監視装置から配信される映像を同時に監視するために、複数の画面をクライアント機器（以下、クライアントＰＣという）に、同時に表示させている。このように複数の画面の表示（以下、多画面表示という）を行うことで画面の表示エリアが分割されるため、１つの画面表示（以下、単画面表示という）に比べて画面の表示エリアのサイズが小さくなる。このため、クライアントＰＣが監視装置から配信される映像データ（以下、映像ストリームという）を多画面表示するときには、多画面表示の表示エリアのサイズに合わせるために、映像ストリームの解像度を下げて映像ストリームのサイズを縮小していた。
【０００３】
従来の実施例に係る映像配信システムについて、図面を参照して説明する。従来の映像配信システム２００の構成を図７に示す。映像配信システム２００は、監視装置２１０、クライアントＰＣ２２０、クライアントＰＣ２３０、記録装置２４０、及びネットワーク２５０から構成されている。クライアントＰＣ２２０は、映像を表示する映像表示処理部２２１を備えている。クライアントＰＣ２３０は、映像を表示する映像表示処理部２３１を備えている。記録装置２４０は、ＨＤＤドライブなどの記録媒体２４１を備えている。監視装置２１０については、実際には複数台設けられているが、図７の映像配信システム２００においては１台の監視装置２１０のみを記載している。
【０００４】
監視装置２１０は、監視カメラなどから映像信号を入力する。また、監視装置２１０は、クライアントＰＣ２２０、クライアントＰＣ２３０、及び記録装置２４０からの映像ストリーム配信要求を受信すると、ネットワーク２５０を経由して映像ストリームを配信する。クライアントＰＣ２２０は、オペレータから映像の単画面表示または多画面表示の要求を受け付けると、映像ストリーム配信要求をネットワーク２５０を経由して監視装置２１０に送信する。また、クライアントＰＣ２２０は、監視装置２１０から映像ストリームが配信されると、映像表示処理部２２１により単画面表示または多画面表示を行う。例えば、クライアントＰＣ２２０に、４台の監視装置２１０から単画面表示用の映像ストリームが配信され、４画面で同時に表示するときには、映像表示処理部２２１が４分割された表示エリアのサイズに合わせて映像ストリームの解像度を下げてから表示する。クライアントＰＣ２３０は、クライアントＰＣ２２０と同様に、オペレータからの映像の単画面表示または多画面表示の要求を受け付けると、映像ストリーム配信要求をネットワーク２５０を経由して監視装置２１０に送信する。また、クライアントＰＣ２３０は、監視装置２１０から映像ストリームが配信されると、映像表示処理部２３１により単画面表示または多画面表示を行う。例えば、クライアントＰＣ２３０が、１台の監視装置２１０から単画面表示用の映像ストリームが配信され、１画面で表示するときには、映像表示処理部２３１は映像ストリームの解像度を下げることなくそのまま表示する。記録装置２４０は、記録媒体２４１に監視装置２１０から配信される映像ストリームを記録する装置である。ネットワーク２５０は、インターネットやイントラネット等のＩＰネットワークであり、複数の監視装置２１０、クライアントＰＣ２２０、クライアントＰＣ２３０、及び記録装置２４０が接続され通信が行われる。ネットワーク２５０の通信プロトコルとしては、例えば、ＨＴＴＰ（Hypertext Transfer Protocol）、ＲＴＰ（Real-time Transport Protocol）などのプロトコルが使用できる。
【０００５】
従来の監視装置２１０の機能構成を図８に示す。監視装置２１０は、配信要求受信部２１１、映像入力部２１２、不揮発性メモリ２１３ａ、メモリ２１３ｂ、制御部２１４、及び配信部２１５から構成されている。これらの部位はバスなどにより接続されている。不揮発性メモリ２１３ａは、映像ストリーム設定データ２１３ａ１を備えている。メモリ２１３ｂは、不揮発性メモリまたは揮発性メモリであり、映像ストリームバッファ２１３ｂ１を備えている。制御部２１４は、映像ストリーム変換処理部２１４ｐ１と映像ストリーム配信処理部２１４ｐ２を備えている。
【０００６】
配信要求受信部２１１は、クライアントＰＣ２２０またはクライアントＰＣ２３０からの映像ストリーム配信要求をネットワーク２５０を経由して受信すると、制御部２１４に出力する。映像入力部２１２は、監視装置２１０と接続されている監視カメラ（図示せず）から映像信号を入力すると、映像信号を監視装置２１０で処理可能な映像データに変換し、制御部２１４に出力する。不揮発性メモリ２１３ａは、制御部２１４が実行する処理のプログラムやデータを記憶するメモリである。不揮発性メモリ２１３ａの映像ストリーム設定データ２１３ａ１には、映像データを映像ストリームに変換するときの設定データである解像度、フレームレート、及びビットレートなどのデータが記憶されている。メモリ２１３ｂは、変換された映像ストリームを保存するメモリである。メモリ２１３ｂの映像ストリームバッファ２１３ｂ１には、変換された映像ストリームが一時的に保存される。制御部２１４の映像ストリーム変換処理部２１４ｐ１は、映像入力部２１２から映像データを入力する。そして、映像ストリーム変換処理部２１４ｐ１は、映像ストリーム設定データ２１３ａ１から解像度、フレームレート、及びビットレートなどのデータを取り出し、これらのデータに基づいて映像データを映像ストリームに変換し、メモリ２１３ｂの映像ストリームバッファ２１３ｂ１に保存する。また、制御部２１４の映像ストリーム配信処理部２１４ｐ２は、配信要求受信部２１１から映像ストリーム配信要求を入力する。そして、映像ストリーム配信処理部２１４ｐ２は、メモリ２１３ｂの映像ストリームバッファ２１３ｂ１から映像ストリームを取り出し、配信部２１５に出力する。配信部２１５は、制御部２１４の映像ストリーム配信処理部２１４ｐ２から映像ストリームを入力し、ネットワーク２５０を経由してクライアントＰＣ２２０、クライアントＰＣ２３０、及び記録装置２４０に映像ストリームを配信する。
【０００７】
このような監視装置２１０において、映像ストリーム設定データ２１３ａ１に単画面表示用の高い解像度が設定されているときには、監視装置２１０はクライアントＰＣ２２０、クライアントＰＣ２３０、及び記録装置２４０に対して解像度が高い映像ストリームを配信する。このため、クライアントＰＣ２２０またはクライアントＰＣ２３０が受信した映像ストリームを多画面で表示するときに、表示エリアのサイズに合わせるため映像ストリームの解像度を下げる必要がある。このように高い解像度が設定されると、クライアントＰＣ２２０またはクライアントＰＣ２３０の映像表示による負荷が増加し、映像を表示するまでに時間を要していた。更に、クライアントＰＣ２２０またはクライアントＰＣ２３０の処理性能が低い場合には、受信した映像ストリームを多画面表示することができないことがあった。逆に、映像ストリーム設定データ２１３ａ１に単画面表示用の低い解像度を設定すると、監視装置２１０はクライアントＰＣ２２０、クライアントＰＣ２３０、及び記録装置２４０に対して解像度が低い映像ストリームを配信する。しかし、クライアントＰＣ２２０またはクライアントＰＣ２３０が受信した映像ストリームを単画面表示するときには、映像ストリームの解像度を上げることができない。更に、記録装置２４０にも解像度が低い映像ストリームが記録される。このため、クライアントＰＣ２２０またはクライアントＰＣ２３０が受信した映像ストリーム、または記録装置２４０に記録されている映像ストリームを単画面表示すると、画質が低い映像が表示される。
【０００８】
なお、上記従来の映像配信技術として下記特許文献１がある。
【先行技術文献】
【特許文献】
【０００９】
【特許文献１】特開２００４−１７３２５９号公報
【発明の概要】
【発明が解決しようとする課題】
【００１０】
特許文献１の映像データ保存方法及び映像データ保存システムでは、映像データを蓄積する映像蓄積配信サーバに記録された任意の映像のうち、長期保存したい映像を選択して長期保存記録装置で保存される。このように長期保存したい映像は長期保存記録装置に保存されるので、映像蓄積配信サーバの記録媒体が一杯になっても、記録媒体の古い映像に上書きするので記録媒体を交換する必要がない。この構成により、映像蓄積配信サーバはライブ映像に対して記録漏れを許さない無停止運転を維持し、長期保存記録装置は、記録媒体の長期に渡る保存を容易にすることができる。しかし、映像蓄積配信サーバや長期保存記録装置に蓄積された映像に高い解像度が設定され、その映像を多画面表示するときには、映像表示装置が映像の解像度を低く設定しなければならないので映像を表示するまでに時間を要してしまうという問題があった。また、映像蓄積配信サーバや長期保存記録装置に蓄積された映像に低い解像度が設定され、その映像の単画面表示を行うと画質の低い映像が表示されてしまうという問題があった。
【００１１】
本発明はこのような状況に鑑みてなされたものであり、上記課題を解決できる映像配信システムを提供することを目的とする。
【課題を解決するための手段】
【００１２】
本発明の映像配信システムは、監視装置と映像受信装置が接続されている映像配信システムであって、映像ストリームの配信用の設定が変更可能な前記監視装置の配信用設定手段と、前記配信用の設定がされた前記映像ストリームを配信する前記監視装置の配信手段と、前記映像ストリームを受信する映像受信装置の受信手段と、を備えることを特徴としている。
【発明の効果】
【００１３】
本発明によれば、クライアントからの要求、状況、及び用途に対応した設定を行った映像ストリームを監視装置からクライアントに配信するので、クライアントに適した映像ストリームを配信することができる。
【図面の簡単な説明】
【００１４】
【図１】本発明の実施形態１に係る映像配信システムの構成示す構成図である。
【図２】本発明の実施形態１に係る監視装置の機能構成を示す構成図である。
【図３】本発明の実施形態１に係る監視装置の映像メインストリーム変換処理と映像メインストリーム配信処理の手順を示すフローチャートである。
【図４】本発明の実施形態１に係る監視装置の映像サブストリーム変換処理と映像サブストリーム配信処理の手順を示すフローチャートである。
【図５】本発明の実施形態２に係る映像配信システムの構成示す構成図である。
【図６】本発明の実施形態３に係る映像配信システムの構成示す構成図である。
【図７】従来の実施例に係る映像配信システムの構成示す構成図である。
【図８】従来の実施例に係る監視装置の機能構成を示す構成図である。
【発明を実施するための形態】
【００１５】
（第１の実施形態）
以下、本発明を実施するための実施形態１を、図面を参照して説明する。実施形態１は、オペレータからの映像ストリーム配信要求に応じて、解像度が高い映像ストリーム（以下、映像メインストリームという）または解像度が低い映像ストリーム（以下、映像サブストリームという）のどちらかを配信する実施形態である。
【００１６】
まず、本発明の実施形態１の映像配信システム１００について説明する。本発明の映像配信システム１００の構成を図１に示す。映像配信システム１００は、監視装置１１０、クライアントＰＣ１２０、クライアントＰＣ１３０、記録装置１４０、及びネットワーク１５０から構成されている。クライアントＰＣ１２０は、映像メインストリームまたは映像サブストリームの映像を表示する映像表示処理部１２１を備えている。クライアントＰＣ１３０は、映像メインストリームまたは映像サブストリームの映像を表示する映像表示処理部１３１を備えている。記録装置１４０は、ＨＤＤドライブなどの記録媒体１４１を備えている。監視装置１１０については、実際には複数台設けられているが、図１の映像配信システム１００においては１台の監視装置１１０のみを記載している。
【００１７】
監視装置１１０は、監視カメラなどから映像信号を入力する。また、監視装置１１０は、クライアントＰＣ１２０またはクライアントＰＣ１３０、から映像メインストリームまたは映像サブストリームの配信要求を受信すると、ネットワーク１５０を経由して映像メインストリームまたは映像サブストリームを配信する。クライアントＰＣ１２０は、オペレータから映像の単画面表示または多画面表示の要求を受け付けると、単画面表示の要求であれば映像メインストリーム、また多画面表示の要求であれば映像サブストリームの配信要求をネットワーク１５０を経由して監視装置１１０に送信する。また、クライアントＰＣ１２０は、監視装置１１０から映像メインストリームが配信されると映像表示処理部１２１により単画面表示し、監視装置１１０から映像サブストリームが配信されると映像表示処理部１２１により多画面表示する。例えば、クライアントＰＣ１２０に、４台の監視装置１１０から多画面表示用の映像サブストリームが配信され、４画面で同時に表示するときには、図１に示すように映像表示処理部１２１が４分割された表示エリアに映像サブストリームの解像度を下げることなく、映像サブストリームの映像を表示する。クライアントＰＣ１３０は、クライアントＰＣ１２０と同様に、オペレータから映像の単画面表示または多画面表示の要求を受け付けると、単画面表示の要求であれば映像メインストリーム、また多画面表示の要求であれば映像サブストリームの配信要求をネットワーク１５０を経由して監視装置１１０に送信する。また、クライアントＰＣ１３０は、監視装置１１０から映像メインストリームが配信されると映像表示処理部１３１により単画面表示し、監視装置１１０から映像サブストリームが配信されると映像表示処理部１３１により多画面表示する。例えば、クライアントＰＣ１３０に、１台の監視装置１１０から単画面表示用の映像メインストリームが配信され、１画面で表示するときには、図１に示すように映像表示処理部１３１は表示エリアに映像メインストリームの映像を表示する。
【００１８】
記録装置１４０は、記録媒体１４１に監視装置１１０から配信される映像メインストリームを記録する装置である。ネットワーク１５０は、インターネットやイントラネット等のＩＰネットワークであり、複数の監視装置１１０、クライアントＰＣ１２０、クライアントＰＣ１３０、及び記録装置１４０が接続され通信が行われる。ネットワーク１５０の通信プロトコルとしては、例えば、ＨＴＴＰ（Hypertext Transfer Protocol）、ＲＴＰ（Real-time Transport Protocol）などのプロトコルが使用できる。
【００１９】
次に、本発明の実施形態１の映像配信システム１００における監視装置１１０の機能構成について説明する。本発明の監視装置１１０の機能構成を図２に示す。監視装置１１０は、配信要求受信部１１１、映像入力部１１２、不揮発性メモリ１１３ａ、メモリ１１３ｂ、制御部１１４、及び配信部１１５から構成されている。これらの部位はバスなどにより接続されている。不揮発性メモリ１１３ａは、映像メインストリーム設定データ１１３ａ１と映像サブストリーム設定データ１１３ａ２を備えている。メモリ１１３ｂは、映像メインストリームバッファ１１３ｂ１と映像サブストリームバッファ１１３ｂ２を備えている。制御部１１４は、映像メインストリーム変換処理部１１４ｐ１、映像サブストリーム変換処理部１１４ｐ２、映像メインストリーム配信処理部１１４ｐ３、及び映像サブストリーム配信処理部１１４ｐ４を備えている。
【００２０】
配信要求受信部１１１は、クライアントＰＣ１２０またはクライアントＰＣ１３０からの映像メインストリーム配信要求または映像サブストリーム配信要求をネットワーク１５０を経由して受信すると、制御部１１４に出力する。映像入力部１１２は、監視装置１１０と接続されている監視カメラ（図示せず）から映像信号を入力すると、映像信号を監視装置１１０で処理可能な映像データに変換し、制御部１１４に出力する。不揮発性メモリ１１３ａは、制御部１１４が実行する処理のプログラムやデータを記憶するメモリである。不揮発性メモリ１１３ａの映像メインストリーム設定データ１１３ａ１には、映像データを映像メインストリームに変換するときの設定データである解像度、フレームレート、及びビットレートなどのデータが記憶されている。不揮発性メモリ１１３ａの映像サブストリーム設定データ１１３ａ２には、映像データを映像サブストリームに変換するときの設定データである解像度、フレームレート、及びビットレートなどのデータが記憶されている。メモリ１１３ｂは、変換された映像ストリームを保存するメモリである。メモリ１１３ｂの映像メインストリームバッファ１１３ｂ１には、変換された映像メインストリームが一時的に保存される。メモリ１１３ｂの映像サブストリームバッファ１１３ｂ２には、変換された映像サブストリームが一時的に保存される。
【００２１】
制御部１１４の映像メインストリーム変換処理部１１４ｐ１は、映像入力部１１２から映像データを入力する。そして、映像メインストリーム変換処理部１１４ｐ１は、映像メインストリーム設定データ１１３ａ１から解像度、フレームレート、及びビットレートなどのデータを取り出し、これらのデータに基づいて映像データを映像メインストリームに変換し、メモリ１１３ｂの映像メインストリームバッファ１１３ｂ１に保存する。また、制御部１１４の映像メインストリーム配信処理部１１４ｐ３は、配信要求受信部１１１から映像メインストリーム配信要求を入力する。そして、映像メインストリーム配信処理部１１４ｐ３は、メモリ１１３ｂの映像メインストリームバッファ１１３ｂ１から映像メインストリームを取り出し、配信部１１５に出力する。制御部１１４の映像サブストリーム変換処理部１１４ｐ２は、映像入力部１１２から映像データを入力する。そして、映像サブストリーム変換処理部１１４ｐ２は、映像サブストリーム設定データ１１３ａ２から解像度、フレームレート、及びビットレートなどのデータを取り出し、これらのデータに基づいて映像データを映像サブストリームに変換し、メモリ１１３ｂの映像サブストリームバッファ１１３ｂ２に保存する。また、制御部１１４の映像サブストリーム配信処理部１１４ｐ４は、配信要求受信部１１１から映像サブストリーム配信要求を入力する。そして、映像サブストリーム配信処理部１１４ｐ４は、メモリ１１３ｂの映像サブストリームバッファ１１３ｂ２から映像サブストリームを取り出し、配信部１１５に出力する。配信部１１５は、制御部１１４から映像メインストリームまたは映像サブストリームを入力し、ネットワーク１５０を経由してクライアントＰＣ１２０またはクライアントＰＣ１３０に映像メインストリームまたは映像サブストリームを配信する。また、記録装置１４０には映像メインストリームが配信される。
【００２２】
次に、本発明の実施形態１に係る監視装置１１０の映像メインストリーム変換処理と映像メインストリーム配信処理、及び映像サブストリーム変換処理と映像サブストリーム配信処理について説明する。図３は、映像メインストリーム変換処理と映像メインストリーム配信処理の手順を示すフローチャートである。図４は、映像サブストリーム変換処理と映像サブストリーム配信処理の手順を示すフローチャートである。
【００２３】
まず、図３に示す映像メインストリーム変換処理と映像メインストリーム配信処理について説明する。監視装置１１０が起動されると、制御部１１４により映像メインストリーム変換処理部１１４ｐ１が起動される。この起動により映像メインストリーム変換処理部１１４ｐ１は、映像メインストリーム変換処理を開始する。また、制御部１１４が映像メインストリーム配信要求を入力すると、映像メインストリーム配信処理部１１４ｐ３を起動する。この起動により、映像メインストリーム配信処理部１１４ｐ３は映像メインストリーム配信処理を開始する。
【００２４】
まず、ステップＳ１１０において、映像メインストリーム変換処理部１１４ｐ１は、映像入力部１１２から映像データを入力する。
【００２５】
次に、ステップＳ１１１において、映像メインストリーム変換処理部１１４ｐ１は、映像メインストリーム設定データ１１３ａ１に設定されている解像度、フレームレート、及びビットレートなどのデータを取り出す。この映像メインストリーム設定データ１１３ａ１に設定されている解像度は、単画面表示用の高い解像度である。
【００２６】
次に、ステップＳ１１２において、映像メインストリーム変換処理部１１４ｐ１は、映像データに、ステップＳ１１１で取り出した解像度、フレームレート、及びビットレートなどの設定を行う。この設定により映像データに映像メインストリーム用の高い解像度が設定される。そして映像メインストリーム変換処理部１１４ｐ１は、設定された映像データを映像メインストリームに変換する。
【００２７】
次に、ステップＳ１１３において、映像メインストリーム変換処理部１１４ｐ１は、ステップＳ１１２で変換された映像メインストリームを映像メインストリームバッファ１１３ｂ１に保存し、終了する。以降、映像メインストリーム変換処理は、制御部１１４により繰り返し起動される。
【００２８】
また、ステップＳ１２０において、映像メインストリーム配信処理部１１４ｐ３は、配信要求受信部１１１から映像メインストリーム配信要求を入力する。
【００２９】
次に、ステップＳ１２１において、映像メインストリーム配信処理部１１４ｐ３は、映像メインストリームバッファ１１３ｂ１から映像メインストリームを入力する。
【００３０】
次に、ステップＳ１２２において、映像メインストリーム配信処理部１１４ｐ３は、ステップＳ１２１で入力した映像メインストリームを配信部１１５に出力する。
【００３１】
配信部１１５に出力された映像メインストリームは、例えばクライアントＰＣ１３０が映像メインストリーム配信要求を送信したときには、配信部１１５によりクライアントＰＣ１３０に、ネットワーク１５０を介して配信される。このように、実施形態１の映像メインストリーム変換処理部１１４ｐ１と映像メインストリーム配信処理部１１４ｐ３により、映像メインストリーム用の解像度が設定された映像メインストリームの配信を行うことができる。
【００３２】
次に、図４に示す映像サブストリーム変換処理と映像サブストリーム配信処理について説明する。監視装置１１０が起動されると、制御部１１４により映像サブストリーム変換処理部１１４ｐ２が起動される。この起動により映像サブストリーム変換処理部１１４ｐ２は、映像サブストリーム変換処理を開始する。また、制御部１１４が映像サブストリーム配信要求を入力すると、映像サブストリーム配信処理部１１４ｐ４を起動する。この起動により、映像サブストリーム配信処理部１１４ｐ４は映像サブストリーム配信処理を開始する。
【００３３】
まず、ステップＳ２１０において、映像サブストリーム変換処理部１１４ｐ２は、映像入力部１１２から映像データを入力する。
【００３４】
次に、ステップＳ２１１において、映像サブストリーム変換処理部１１４ｐ２は、映像サブストリーム設定データ１１３ａ２に設定されている解像度、フレームレート、及びビットレートなどのデータを取り出す。この映像サブストリーム設定データ１１３ａ２に設定されている解像度は、多画面表示用の低い解像度である。
【００３５】
次に、ステップＳ２１２において、映像サブストリーム変換処理部１１４ｐ２は、映像データに、ステップＳ２１１で取り出した解像度、フレームレート、及びビットレートなどの設定を行う。この設定により映像データに映像サブストリーム用の低い解像度が設定される。そして映像サブストリーム変換処理部１１４ｐ２は、設定された映像データを映像サブストリームに変換する。
【００３６】
次に、ステップＳ２１３において、映像サブストリーム変換処理部１１４ｐ２は、ステップＳ２１２で変換された映像サブストリームを映像サブストリームバッファ１１３ｂ２に保存し、終了する。以降、映像サブストリーム変換処理は、制御部１１４により繰り返し起動される。
【００３７】
また、ステップＳ２２０において、映像サブストリーム配信処理部１１４ｐ４は、配信要求受信部１１１から映像サブストリーム配信要求を入力する。
【００３８】
次に、ステップＳ２２１において、映像サブストリーム配信処理部１１４ｐ４は、映像サブストリームバッファ１１３ｂ２から映像サブストリームを入力する。
【００３９】
次に、ステップＳ２２２において、映像サブストリーム配信処理部１１４ｐ４は、ステップＳ２２１で入力した映像サブストリームを配信部１１５に出力する。
【００４０】
配信部１１５に出力された映像サブストリームは、例えばクライアントＰＣ１２０が映像サブストリーム配信要求を送信したときには、配信部１１５によりクライアントＰＣ１２０に、ネットワーク１５０を介して配信される。このように、実施形態１の映像サブストリーム変換処理部１１４ｐ２と映像サブストリーム配信処理部１１４ｐ４により、映像サブストリーム用の解像度が設定された映像サブストリームの配信を行うことができる。
【００４１】
なお、実施形態１では、記録装置１４０に対しては常に解像度の高い映像メインストリームを配信するようにしたが、映像サブストリームを配信することも可能である。また、解像度により映像メインストリームと映像サブストリームの２種類の映像ストリームに分けるのでなく、複数の解像度に対応した複数の映像ストリームを配信することも可能である。また、複数の記録装置１４０に映像メインストリームまたは映像サブストリームを配信することも可能である。
【００４２】
（第２の実施形態）
次に、本発明を実施するための実施形態２を、図面を参照して説明する。実施形態２は、回線負荷に応じて、ビットレートが高い映像ストリーム（以下、映像メインストリームという）またはビットレートが低い映像ストリーム（以下、映像サブストリームという）のどちらかを配信する実施形態である。
【００４３】
まず、本発明の実施形態２の映像配信システム１００ａについて説明する。本発明の映像配信システム１００ａの構成を図５に示す。映像配信システム１００ａは、監視装置１１０ａ、クライアントＰＣ１２０ａ、クライアントＰＣ１３０ａ、及びネットワーク１５０ａから構成されている。クライアントＰＣ１２０ａは、映像メインストリームまたは映像サブストリームの映像を表示する映像表示処理部１２１ａを備えている。クライアントＰＣ１３０ａは、映像メインストリームまたは映像サブストリームの映像を表示する映像表示処理部１３１ａを備えている。監視装置１１０ａについては、実際には複数台設けられているが、図５の映像配信システム１００ａにおいては１台の監視装置１１０ａのみを記載している。
【００４４】
監視装置１１０ａは、監視カメラなどから映像信号を入力する。また、監視装置１１０ａは、クライアントＰＣ１２０ａ、クライアントＰＣ１３０ａからの映像ストリームの配信要求を受信すると、監視装置１１０ａとクライアントＰＣ１２０ａ、監視装置１１０ａとクライアントＰＣ１３０ａとの回線負荷を検出する。監視装置１１０ａとクライアントＰＣ１２０ａ、監視装置１１０ａとクライアントＰＣ１３０ａとの回線負荷が軽いときには、監視装置１１０ａは、ネットワーク１５０ａを経由してクライアントＰＣ１２０ａ、クライアントＰＣ１３０ａに映像メインストリームを配信する。監視装置１１０ａとクライアントＰＣ１２０ａ、監視装置１１０ａとクライアントＰＣ１３０ａとの回線負荷が重いときには、監視装置１１０ａは、ネットワーク１５０ａを経由してクライアントＰＣ１２０ａ、クライアントＰＣ１３０ａに映像サブストリームを配信する。クライアントＰＣ１２０ａは、オペレータから映像の表示要求を受け付けると、映像ストリームの配信要求をネットワーク１５０ａを経由して監視装置１１０ａに送信する。また、クライアントＰＣ１２０ａは、監視装置１１０ａから回線負荷に対応した映像メインストリームまたは映像サブストリームが配信されると、映像表示処理部１２１ａにより表示を行う。クライアントＰＣ１３０ａは、オペレータから映像の表示要求を受け付けると、映像ストリームの配信要求をネットワーク１５０ａを経由して監視装置１１０ａに送信する。また、クライアントＰＣ１３０ａは、監視装置１１０ａから回線負荷に対応した映像メインストリームまたは映像サブストリームが配信されると、映像表示処理部１３１ａにより表示を行う。ネットワーク１５０ａは、インターネットやイントラネット等のＩＰネットワークであり、複数の監視装置１１０ａ、クライアントＰＣ１２０ａ、及びクライアントＰＣ１３０ａが接続され通信が行われる。ネットワーク１５０ａの通信プロトコルは、図１のネットワーク１５０と同様である。
【００４５】
このような実施形態２により、監視装置１１０ａとクライアントＰＣ１２０ａ、監視装置１１０ａとクライアントＰＣ１３０ａとの回線負荷に対応して、監視装置１１０ａは、ビットレートが高い映像ストリームまたはビットレートが低い映像ストリームのどちらかを配信する。このように回線負荷が重いときにビットレートの低い映像ストリームを配信することで、クライアントＰＣ１２０ａ及びクライアントＰＣ１３０ａにおいて、フレームの抜けが無い映像を表示することができる。また、回線負荷が軽いときにビットレートの高い映像ストリームを配信することで、クライアントＰＣ１２０ａ及びクライアントＰＣ１３０ａにおいて、画質の高い映像を表示することができる。
【００４６】
なお、実施形態２では、監視装置１１０ａが回線負荷に対応して映像メインストリームまたは映像サブストリームのどちらを配信しているが、クライアントＰＣ１２０ａまたはクライアントＰＣ１３０ａからの要求に応じてどちらかを配信することも可能である。また、回線負荷により映像メインストリームと映像サブストリームの２種類の映像ストリームに分けるのでなく、複数の回線負荷状態に対応して複数の映像ストリームを配信することも可能である。また、クライアントＰＣ１２０ａまたはクライアントＰＣ１３０ａでなく記録媒体に配信することも可能である。
【００４７】
（第３の実施形態）
次に、本発明を実施するための実施形態３を、図面を参照して説明する。実施形態３は、映像表示または映像断面（以下、スナップショットという）記録などの映像の用途に応じて、表示用映像ストリームまたはスナップショット記録用映像ストリームのどちらかを配信する実施形態である。
【００４８】
まず、本発明の実施形態３の映像配信システム１００ｂについて説明する。本発明の映像配信システム１００ｂの構成を図６に示す。映像配信システム１００ｂは、監視装置１１０ｂ、クライアントＰＣ１２０ｂ、及びネットワーク１５０ｂから構成されている。クライアントＰＣ１２０ｂは、表示用映像ストリームの映像を表示する映像表示処理部１２１ｂと、スナップショット記録用映像ストリームを記録するＨＤＤドライブなどの記録媒体１２２ｂを備えている。監視装置１１０ｂについては、実際には複数台設けられているが、図６の映像配信システム１００ｂにおいては１台の監視装置１１０ｂのみを記載している。
【００４９】
監視装置１１０ｂは、監視カメラなどから映像信号を入力する。また、監視装置１１０ｂは、クライアントＰＣ１２０ｂからの表示用映像ストリームまたはスナップショット記録用映像ストリームの配信要求を受信すると、ネットワーク１５０ｂを経由して表示用映像ストリームまたはスナップショット記録用映像ストリームを配信する。クライアントＰＣ１２０ｂは、オペレータから映像の表示の要求を受け付けると、表示用映像ストリームの配信要求をネットワーク１５０ｂを経由して監視装置１１０ｂに送信する。また、クライアントＰＣ１２０ｂは、スナップショットを記録するタイミングになると、スナップショット記録用映像ストリームの配信要求をネットワーク１５０ｂを経由して監視装置１１０ｂに送信する。また、クライアントＰＣ１２０ｂは、監視装置１１０ｂから表示用映像ストリームが配信されると映像表示処理部１２１ｂにより表示を行い、監視装置１１０ｂからスナップショット記録用映像ストリームが配信されると記録媒体１２２ｂに記録する。ネットワーク１５０ｂは、インターネットやイントラネット等のＩＰネットワークであり、複数の監視装置１１０ｂとクライアントＰＣ１２０ｂが接続され通信が行われる。ネットワーク１５０ｂの通信プロトコルは、図１のネットワーク１５０と同様である。
【００５０】
このような実施形態３により、映像の用途に応じて、表示用映像ストリームまたはスナップショット記録用映像ストリームのどちらかが配信される。例えば、表示用映像ストリームを解像度が低い映像ストリームとし、スナップショット記録用映像ストリームを解像度が高いストリームとすることで、映像表示処理の負荷が小さくなり、また高画質の映像が記録媒体１２２ｂに記録できる。また、逆に表示用映像ストリームを解像度が高い映像ストリームとし、スナップショット記録用映像ストリームを解像度が低い映像ストリームとすることで、映像が高画質で表示されるのでオペレータが映像を確認しやすくなり、また記録媒体１２１ｂには多量の映像を記録することができる。
【００５１】
なお、実施形態３では、記録媒体１２２ｂを１台備える形態としているが、記録媒体１２２ｂを複数台備える形態とすることも可能である。また、解像度だけでなく映像の用途に応じてフレームレート、ビットレートなどのあらゆる要素、またはその組み合わせにより表示用映像ストリームとスナップショット記録用映像ストリームに分けることが可能である。また、映像の用途に応じて表示用映像ストリームとスナップショット記録用映像ストリームの２種類の映像ストリームに分けるのでなく、複数の用途に対応した複数の映像ストリームを配信することも可能である。
【００５２】
以上のように、本発明の実施の形態によれば、クライアントからの要求、状況、及び用途に対応した設定を行った映像ストリームを監視装置からクライアントに配信するので、クライアントに適した映像ストリームを配信することができる。
【００５３】
以上、具体的な実施の形態により本発明を説明したが、上記実施の形態は本発明の例示であり、この実施の形態に限定されないことは言うまでもない。
【００５４】
以上の実施態様の特徴をまとめると次のようになる。
（１） 本発明の映像配信システムは、監視装置と映像受信装置が接続されている映像配信システムであって、映像ストリームの配信用の設定が変更可能な前記監視装置の配信用設定手段と、前記配信用の設定がされた前記映像ストリームを配信する前記監視装置の配信手段と、前記映像ストリームを受信する映像受信装置の受信手段と、を備えることを特徴としている。
（２）（１）の映像配信システムの前記配信用の設定は、前記映像受信装置からの要求に対応した設定が行われることを特徴としている。
（３）（１）の映像配信システムの前記配信用の設定は、前記映像受信装置の状態に対応した設定が行われることを特徴としている。
（４）（１）から（３）のいずれかの映像配信システムの前記配信用設定手段は、複数の映像ストリームに異なる前記配信用の設定を行い、前記配信手段は前記複数の映像ストリームを配信することを特徴としている。
（５）（１）から（４）のいずれかの映像配信システムの前記映像受信装置は、前記映像ストリームを表示する表示手段を備えたクライアント機器であることを特徴としている。
（６）（１）から（４）のいずれかの映像配信システムの前記映像受信装置は、前記映像ストリームを記録する記録手段を備えた記録装置であることを特徴としている。
（７）（１）から（６）のいずれかの映像配信システムの前記配信用の設定は、解像度、フレームレート、ビットレート等の前記映像ストリームのパラメータ情報のいずれかの設定であることを特徴としている。
（８）（１）から（６）のいずれかの映像配信システムの前記配信用の設定は、解像度、フレームレート、ビットレート等の前記映像ストリームのパラメータ情報の内で複数項目を組み合わせた設定であることを特徴としている。
（９）本発明の映像配信システムの配信方法は、監視装置と映像受信装置が接続されている映像配信システムであって、映像ストリームの配信用の設定が変更可能な前記監視装置の配信用設定工程と、前記配信用の設定がされた前記映像ストリームを配信する前記監視装置の配信工程と、前記映像ストリームを受信する前記映像受信装置の受信工程と、を備えることを特徴としている。
【産業上の利用可能性】
【００５５】
本発明は、映像配信システムに好適であるが、映像配信システムに限られるものではなく、映像を表示または記録できる装置一般に適用可能である。
【符号の説明】
【００５６】
１００・・・・・映像配信システム
１００ａ・・・・映像配信システム
１００ｂ・・・・映像配信システム
１１０・・・・・監視装置
１１０ａ・・・・監視装置
１１０ｂ・・・・監視装置
１１１・・・・・配信要求受信部
１１２・・・・・映像入力部
１１３ａ・・・・不揮発性メモリ
１１３ａ１・・・映像メインストリーム設定データ
１１３ａ２・・・映像サブストリーム設定データ
１１３ｂ・・・・メモリ
１１３ｂ１・・・映像メインストリームバッファ
１１３ｂ２・・・映像サブストリームバッファ
１１４・・・・・制御部
１１４ｐ１・・・映像メインストリーム変換処理部
１１４ｐ２・・・映像サブストリーム変換処理部
１１４ｐ３・・・映像メインストリーム配信処理部
１１４ｐ４・・・映像サブストリーム配信処理部
１１５・・・・・配信部
１２０・・・・・クライアントＰＣ（クライアント機器）
１２０ａ・・・・クライアントＰＣ（クライアント機器）
１２０ｂ・・・・クライアントＰＣ（クライアント機器）
１２１・・・・・映像表示処理部
１２１ａ・・・・映像表示処理部
１２１ｂ・・・・映像表示処理部
１２２ｂ・・・・記録媒体
１３０・・・・・クライアントＰＣ（クライアント機器）
１３０ａ・・・・クライアントＰＣ（クライアント機器）
１３１・・・・・映像表示処理部
１３１ａ・・・・映像表示処理部
１４０・・・・・記録装置
１４１・・・・・記録媒体
１５０・・・・・ネットワーク
１５０ａ・・・・ネットワーク
１５０ｂ・・・・ネットワーク
２００・・・・・映像配信システム
２１０・・・・・監視装置
２１１・・・・・配信要求受信部
２１２・・・・・映像入力部
２１３ａ・・・・不揮発性メモリ
２１３ａ１・・・映像ストリーム設定データ
２１３ｂ・・・・メモリ
２１３ｂ１・・・映像ストリームバッファ
２１４・・・・・制御部
２１４ｐ１・・・映像ストリーム変換処理部
２１４ｐ２・・・映像ストリーム配信処理部
２１５・・・・・配信部
２２０・・・・・クライアントＰＣ（クライアント機器）
２２１・・・・・映像表示処理部
２３０・・・・・クライアントＰＣ（クライアント機器）
２３１・・・・・映像表示処理部
２４０・・・・・記録装置
２４１・・・・・記録媒体
２５０・・・・・ネットワーク
【図１】
2012019407.tif 000003
【図２】
2012019407.tif 000004
【図３】
2012019407.tif 000005
【図４】
2012019407.tif 000006
【図５】
2012019407.tif 000007
【図６】
2012019407.tif 000008
【図７】
2012019407.tif 000009
【図８】
2012019407.tif 000010